(57)【要約】【課題】集合体要求時の処理を簡易化・迅速化することができる無線タグ及び要求可否判定装置を提供する。【解決手段】情報を記憶するＩＣ回路部１５０とこのＩＣ回路部１５０に接続されるタグ側アンテナ１５１とを備えた無線タグ回路素子Ｔoを有するＩＣカード１であって、無線タグ回路素子ＴoのＩＣ回路部１５０は、当該無線タグ回路素子Ｔoに対し予め関連づけられたグループに係わるカードＩＤと、グループを構成する複数の通行者Ｍの通過を許容する人数情報とを記憶保持する。【選択図】  図４
2007323221.tif 000002
【特許請求の範囲】
【請求項１】
情報を記憶するＩＣ回路部とこのＩＣ回路部に接続されるタグ側アンテナとを備えた無線タグ回路素子を有する無線タグであって、
前記無線タグ回路素子の前記ＩＣ回路部は、
当該無線タグ回路素子に対し予め関連づけられた集合体に係わる集合体識別情報と、
前記集合体を構成する複数の集合要素の要求を許容する集合要素許容情報と
を記憶保持することを特徴とする無線タグ。
【請求項２】
請求項１記載の無線タグにおいて、
前記ＩＣ回路部は、
前記集合体を構成する複数の集合要素の通過を許容する前記集合要素許容情報を記憶保持することを特徴とする無線タグ。
【請求項３】
請求項２記載の無線タグにおいて、
前記ＩＣ回路部は、
前記集合要素許容情報として、前記集合体における前記集合要素の数を記憶保持することを特徴とする無線タグ。
【請求項４】
請求項２記載の無線タグにおいて、
前記ＩＣ回路部は、
前記集合要素許容情報として、前記通過を許容された前記集合要素を特定するための集合要素特定情報を記憶保持する
ことを特徴とする無線タグ。
【請求項５】
請求項４記載の無線タグにおいて、
前記ＩＣ回路部は、
前記集合要素特定情報として、複数の前記集合要素それぞれに関連づけられる複数の無線タグ回路素子に対し共通に付与された共通タグ識別情報を記憶保持する
ことを特徴とする無線タグ。
【請求項６】
請求項４記載の無線タグにおいて、
前記ＩＣ回路部は、
前記集合要素特定情報として、複数の前記集合要素それぞれに関連づけられる複数の無線タグ回路素子にそれぞれ個別に付与された個別タグ識別情報を記憶保持する
ことを特徴とする無線タグ。
【請求項７】
対象となる集合体に係わる集合体識別情報を記憶するＩＣ回路部とこのＩＣ回路部に接続されたタグ側アンテナとを有する無線タグ回路素子に対し無線通信により情報の送受信を行い、少なくとも前記集合体識別情報を取得するための無線通信手段と、
この無線通信手段で取得した前記集合体識別情報に基づき、前記集合体を構成する複数の集合要素の要求を許容する集合要素許容情報を取得する許容情報取得手段と、
この許容情報取得手段で取得した集合要素許容情報に基づき、前記複数の集合要素の要求を許容するための所定の許容処理を行う許容処理手段と
を有することを特徴とする要求可否判定装置。
【請求項８】
請求項７記載の要求可否判定装置において、
前記許容情報取得手段は、
前記集合体を構成する複数の集合要素の通過を許容する集合要素許容情報を取得し、
前記許容処理手段は、
前記複数の集合要素の通過を許容するための所定の許容処理を行うことを特徴とする要求可否判定装置。
【請求項９】
請求項８記載の要求可否判定装置において、
前記許容情報取得手段は、
前記集合要素許容情報として、前記集合体における前記集合要素の数を取得し、
前記許容処理手段は、
当該取得した集合要素の数に対応した前記許容処理を行うことを特徴とする要求可否判定装置。
【請求項１０】
請求項８記載の要求可否判定装置において、
前記許容情報取得手段は、
前記集合要素許容情報として、前記通過を許容された前記集合要素を特定するための集合要素特定情報を取得し、
前記許容処理手段は、
当該取得した集合要素特定情報に対応した前記許容処理を行うことを特徴とする要求可否判定装置。
【請求項１１】
請求項１０記載の要求可否判定装置において、
前記許容情報取得手段は、
前記集合要素特定情報として、複数の前記集合要素それぞれに関連づけられる複数の無線タグ回路素子に対し共通に付与された共通タグ識別情報を取得し、
前記許容処理手段は、
当該取得した共通タグ識別情報に対応した前記許容処理を行う
ことを特徴とする要求可否判定装置。
【請求項１２】
請求項１０記載の要求可否判定装置において、
前記許容情報取得手段は、
前記集合要素特定情報として、複数の前記集合要素それぞれに関連づけられる複数の無線タグ回路素子にそれぞれ個別に付与された個別タグ識別情報を取得し、
前記許容処理手段は、
当該取得した個別タグ識別情報に対応した前記許容処理を行う
ことを特徴とする要求可否判定装置。
【請求項１３】
請求項７乃至１２のいずれか１項記載の要求可否判定装置において、
前記許容処理手段は、
前記許容処理として、前記集合要素に関する情報を表示可能な表示手段を備えることを特徴とする要求可否判定装置。
【請求項１４】
請求項７乃至１２のいずれか１項記載の要求可否判定装置において、
前記許容処理手段は、
前記許容処理として、前記集合要素の通過経路を開通・遮断可能な経路制御手段を備えることを特徴とする要求可否判定装置。
【発明の詳細な説明】
【技術分野】
【０００１】
本発明は、情報を記憶する無線タグ回路素子を有する無線タグ及びこの無線タグと無線通信を行うことにより集合体を構成する複数の集合要素の要求可否を判定する要求可否判定装置に関する。
【背景技術】
【０００２】
小型の無線タグと、リーダ（読み取り装置）／ライタ（書き込み装置）との間で非接触で情報の読み取り／書き込みを行うＲＦＩＤ（Radio
Frequency Identification）システムが知られている。上記無線タグに備えられる無線タグ回路素子は、所定の無線タグ情報を記憶するＩＣ回路部とこのＩＣ回路部に接続され情報の送受信を行うためのアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、商品管理や検査工程等の様々な分野において実用が期待されている。
【０００３】
従来、このようなＲＦＩＤシステムを、集合体（団体客）を構成する複数の集合要素（通行者）の要求（通過）可否を判定する要求可否判定装置（非接触式ゲートシステム）に適用したものがある（例えば、特許文献１参照。）。この従来技術の要求可否判定装置は、通過させたい集合要素の数を設定可能な設定手段と集合要素の通過数をカウントするカウント手段とを備えており、上記設定手段で設定した数が１つの無線タグ回路素子（情報記録媒体）に記憶された通過可能な集合要素数以下である場合には、カウント手段のカウント結果が設定手段で設定した数に達するまで集合要素の通過を容認する。これにより、例えば団体客の先頭の通行者が有する１つの無線タグ回路素子によって複数の通行者の入場を可能にしている。
【０００４】
【特許文献１】特開平７−２１４２２号公報
【発明の開示】
【発明が解決しようとする課題】
【０００５】
上記従来技術の要求可否判定装置では、複数の集合要素を通過させたい場合、その通過させたい集合要素の数を設定手段により設定入力する必要がある。このため、その設定入力するための手間がかかり、集合体通過時の処理の複雑化及び遅延化を招いていた。
【０００６】
本発明の目的は、集合体要求時の許容処理を簡易化・迅速化することができる無線タグ及び要求可否判定装置を提供することにある。
【課題を解決するための手段】
【０００７】
上記目的を達成するために、第１の発明は、情報を記憶するＩＣ回路部とこのＩＣ回路部に接続されるタグ側アンテナとを備えた無線タグ回路素子を有する無線タグであって、前記無線タグ回路素子の前記ＩＣ回路部は、当該無線タグ回路素子に対し予め関連づけられた集合体に係わる集合体識別情報と、前記集合体を構成する複数の集合要素の要求を許容する集合要素許容情報とを記憶保持することを特徴とする。
【０００８】
本願第１発明においては、１つの無線タグに備えられた無線タグ回路素子のＩＣ回路部に、集合体に係わる集合体識別情報と、集合要素許容情報とが記憶保持されている。これにより、集合体の要求（例えば、通過したい、閲覧したい、入手・購入したい、装置などオンにしたい、動作させたい、視聴したい、特別サービスを受けたい等の要求）時においては、この１つの無線タグの無線タグ回路素子を集合体識別情報で特定してアクセスを行い、ＩＣ回路部の集合要素許容情報を取得することで、当該集合体の複数の集合要素について要求の可否を決定することができる。この結果、１つの無線タグに備えられた無線タグ回路素子に係る無線通信結果に基づき複数の集合要素の要求許容処理を行うことが可能となるので、要求許容処理時に当該要求を許容させたい集合要素の数を設定入力する必要がある場合に比べ、集合体要求時の許容処理を簡易化・迅速化し、効率よく管理することができる。
【０００９】
第２の発明は、上記第１発明において、前記ＩＣ回路部は、前記集合体を構成する複数の集合要素の通過を許容する前記集合要素許容情報を記憶保持することを特徴とする。
【００１０】
本願第２発明においては、１つの無線タグに備えられた無線タグ回路素子のＩＣ回路部に、集合体に係わる集合体識別情報と、集合要素許容情報とが記憶保持されている。これにより、集合体の通過時においては、この１つの無線タグの無線タグ回路素子を集合体識別情報で特定してアクセスを行い、ＩＣ回路部の集合要素許容情報を取得することで、当該集合体の複数の集合要素について通過の可否を決定することができる。この結果、１つの無線タグに備えられた無線タグ回路素子に係る無線通信結果に基づき複数の集合要素の通過処理を行うことが可能となるので、通過処理時に通過させたい集合要素の数を設定入力する必要がある場合に比べ、集合体通過時の処理を簡易化・迅速化し、効率よく管理することができる。
【００１１】
第３の発明は、上記第２発明において、前記ＩＣ回路部は、前記集合要素許容情報として、前記集合体における前記集合要素の数を記憶保持することを特徴とする。
【００１２】
集合要素許容情報として集合要素の数を取得することで、通過可能な集合要素の数のカウントの形で通過管理を行うことができる。
【００１３】
第４の発明は、上記第２発明において、前記ＩＣ回路部は、前記集合要素許容情報として、前記通過を許容された前記集合要素を特定するための集合要素特定情報を記憶保持することを特徴とする。
【００１４】
集合要素許容情報として集合要素特定情報を取得することで、通過可能な集合要素を（全体として又は個別に）特定する形で通過管理を行うことができる。
【００１５】
第５の発明は、上記第４発明において、前記ＩＣ回路部は、前記集合要素特定情報として、複数の前記集合要素それぞれに関連づけられる複数の無線タグ回路素子に対し共通に付与された共通タグ識別情報を記憶保持することを特徴とする。
【００１６】
集合要素特定情報として共通タグ識別情報を取得することで、通過可能な集合要素を全体として特定する形で通過管理を行うことができる。またこの場合、複数の集合要素それぞれに対応して同一の情報（共通タグ識別情報）を無線タグ回路素子に書き込んだ無線タグを作成すれば足り（＝単なる複製で足りる）、個別の情報を無線タグ回路素子に書き込む必要がないので、無線タグの作成の手間を軽減することができる。
【００１７】
第６の発明は、上記第４発明において、前記ＩＣ回路部は、前記集合要素特定情報として、複数の前記集合要素それぞれに関連づけられる複数の無線タグ回路素子にそれぞれ個別に付与された個別タグ識別情報を記憶保持することを特徴とする。
【００１８】
集合要素特定情報として個別タグ識別情報を取得することで、通過可能な集合要素を個別に特定する形で通過管理を行うことができる。またこの場合、複数の集合要素それぞれに同一の情報（共通タグ識別情報）を無線タグ回路素子に書き込んで複数の集合要素全体として管理する場合に比べ、各要素個別にきめ細かい管理を行うことができる。
【００１９】
上記目的を達成するために、第７の発明は、対象となる集合体に係わる集合体識別情報を記憶するＩＣ回路部とこのＩＣ回路部に接続されたタグ側アンテナとを有する無線タグ回路素子に対し無線通信により情報の送受信を行い、少なくとも前記集合体識別情報を取得するための無線通信手段と、この無線通信手段で取得した前記集合体識別情報に基づき、前記集合体を構成する複数の集合要素の要求を許容する集合要素許容情報を取得する許容情報取得手段と、この許容情報取得手段で取得した集合要素許容情報に基づき、前記複数の集合要素の要求を許容するための所定の許容処理を行う許容処理手段とを有することを特徴とする。
【００２０】
本願第７発明においては、集合体の要求（例えば、通過したい、閲覧したい、入手・購入したい、装置などオンにしたい、動作させたい、視聴したい、特別サービスを受けたい等の要求）時においては、無線通信手段を介し集合体識別情報で特定して無線タグ回路素子にアクセスを行い、許容情報取得手段でＩＣ回路部の集合要素許容情報を取得する。そして、この取得した集合要素許容情報に基づき、当該集合体の複数の集合要素について要求の可否を決定することで、許容処理手段で要求許容のための所定の許容処理を行う。この結果、１つの無線タグに備えられた無線タグ回路素子に係る無線通信結果に基づき複数の集合要素の要求の許容処理を行うことが可能となるので、要求許容処理時に当該要求を許容させたい集合要素の数を設定入力する必要がある場合に比べ、集合体要求時の許容処理を簡易化・迅速化し、効率よく管理することができる。
【００２１】
第８の発明は、上記第７発明において、前記許容情報取得手段は、前記集合体を構成する複数の集合要素の通過を許容する集合要素許容情報を取得し、前記許容処理手段は、前記複数の集合要素の通過を許容するための所定の許容処理を行うことを特徴とする。
【００２２】
本願第８発明においては、集合体の通過時においては、無線通信手段を介し集合体識別情報で特定して無線タグ回路素子にアクセスを行い、許容情報取得手段でＩＣ回路部の集合要素許容情報を取得する。そして、この取得した集合要素許容情報に基づき、当該集合体の複数の集合要素について通過の可否を決定することで、許容処理手段で通過許容のための所定の許容処理を行う。この結果、１つの無線タグに備えられた無線タグ回路素子に係る無線通信結果に基づき複数の集合要素の通過処理を行うことが可能となるので、通過処理時に通過させたい集合要素の数を設定入力する必要がある場合に比べ、集合体通過時の処理を簡易化・迅速化し、効率よく管理することができる。
【００２３】
第９の発明は、上記第８発明において、前記許容情報取得手段は、前記集合要素許容情報として、前記集合体における前記集合要素の数を取得し、前記許容処理手段は、当該取得した集合要素の数に対応した前記許容処理を行うことを特徴とする。
【００２４】
許容情報取得手段が集合要素許容情報として集合要素の数を取得することで、許容処理手段を用いて通過可能な集合要素の数のカウントの形で通過管理を行うことができる。
【００２５】
第１０の発明は、上記第８発明において、前記許容情報取得手段は、前記集合要素許容情報として、前記通過を許容された前記集合要素を特定するための集合要素特定情報を取得し、前記許容処理手段は、当該取得した集合要素特定情報に対応した前記許容処理を行うことを特徴とする。
【００２６】
許容情報取得手段が集合要素許容情報として集合要素特定情報を取得することで、許容処理手段を用いて通過可能な集合要素を（全体として又は個別に）特定する形で通過管理を行うことができる。
【００２７】
第１１の発明は、上記第１０発明において、前記許容情報取得手段は、前記集合要素特定情報として、複数の前記集合要素それぞれに関連づけられる複数の無線タグ回路素子に対し共通に付与された共通タグ識別情報を取得し、前記許容処理手段は、当該取得した共通タグ識別情報に対応した前記許容処理を行うことを特徴とする。
【００２８】
許容情報取得手段が集合要素特定情報として共通タグ識別情報を取得することで、許容処理手段を用いて通過可能な集合要素を全体として特定する形で通過管理を行うことができる。
【００２９】
第１２の発明は、上記第１０発明において、前記許容情報取得手段は、前記集合要素特定情報として、複数の前記集合要素それぞれに関連づけられる複数の無線タグ回路素子にそれぞれ個別に付与された個別タグ識別情報を取得し、前記許容処理手段は、当該取得した個別タグ識別情報に対応した前記許容処理を行うことを特徴とする。
【００３０】
許容情報取得手段が集合要素特定情報として個別タグ識別情報を取得することで、許容処理手段を用いて通過可能な集合要素を個別に特定する形で通過管理を行うことができる。この場合、通過処理時に通過させたい集合要素の数の設定入力し、この設定した数に応じて複数の集合要素全体として通過管理する場合に比べ、各要素個別にきめ細かい管理を行うことができる。
【００３１】
第１３の発明は、上記第７乃至第１２発明のいずれかにおいて、前記許容処理手段は、前記許容処理として、前記集合要素に関する情報を表示可能な表示手段を備えることを特徴とする。
【００３２】
これにより、通過を許可してよい集合要素であるか不許可にすべき集合要素であるかを表示して、管理者に報知することができる。
【００３３】
第１４の発明は、上記第７乃至第１２発明のいずれかにおいて、前記許容処理手段は、前記許容処理として、前記集合要素の通過経路を開通・遮断可能な経路制御手段を備えることを特徴とする。
【００３４】
これにより、通過を許可してよい集合要素であるか不許可にすべき集合要素であるかに応じて、通過経路の開通・遮断を制御し、集合要素の通過認容・通過阻止を切り替えることができる。
【発明の効果】
【００３５】
本発明によれば、集合体要求時の処理を簡易化・迅速化することができる。
【発明を実施するための最良の形態】
【００３６】
以下、本発明の一実施の形態を図面を参照しつつ説明する。本実施の形態は、本発明を例えば遊園地の入口ゲートや観覧車等の遊戯物の搭乗ゲート等に用いられるゲート装置に適用した場合の例である。
【００３７】
図１は、本実施形態のゲート装置の全体構造を表す斜視図である。
【００３８】
図１において、ゲート装置（要求可否判定装置）２００は、通行者Ｍが通行可能な通路２３１と、この通路２３１の両側に立設されたガイド２３２Ａ，２３２Ｂと、これらガイド２３２Ａ，２３２Ｂにそれぞれ設けられ、上記通路２３１を開通・遮断可能に駆動するシャッタ（経路制御手段）２３３Ａ，２３３Ｂと、上記通路２３１の入口側に設けられゲート装置２００に進入する通行者Ｍを検出する入口センサ２３４と、通路２３１の出口側に設けられゲート装置２００を通過した通行者Ｍを検出する出口センサ２３５と、通行者Ｍが所持するチケットとしてのＩＣカード（無線タグ）１に備えられる無線タグ回路素子Ｔoに対し無線通信により情報の送受信を行うアンテナ（無線通信手段）２１０とを備えている。
【００３９】
上記入口センサ２３４及び出口センサ２３５はともに光学センサであり、上記入口センサ２３４は、ガイド２３２Ａ，２３２Ｂにそれぞれ設けられた投光器２３４ａ及び受光器２３４ｂからなる光学センサであり、同様に出口センサ２３５は、ガイド２３２Ａ，２３２Ｂにそれぞれ設けられた投光器２３５ａ及び受光器２３５ｂからなる光学センサである。これら入口・出口センサ２３４，２３５の検出結果は、後述する制御回路２０２に出力されるようになっている。
【００４０】
図２は、上記通行者Ｍが有するＩＣカード１の全体概略構造の一例を表す図であり、図２（ａ）はその上面図、図２（ｂ）はその下面図である。これら図２（ａ）及び図２（ｂ）において、ＩＣカード１は、カード基材２と、このカード基材２の内部に配置され、情報を記憶するＩＣ回路部１５０とこのＩＣ回路部１５０に接続されたアンテナ１５１とをそれぞれ備えた上記無線タグ回路素子Ｔoを備えている。
【００４１】
また、ＩＣカード１は、図２（ａ）に示すように、その基材２の表側（上面）に対応する印字情報（この例では「グループＡ」）を表記した領域Ｓを備えている。なお、この領域Ｓの表記は、文字に限られず図形や符号、あるいは単なる色塗りや模様等であってもよい。
【００４２】
図３は、上記ＩＣカード１に備えられた無線タグ回路素子Ｔoの機能的構成の一例を表すブロック図である。
【００４３】
図３において、無線タグ回路素子Ｔoは、ゲート装置２００のアンテナ２１０と短波帯(例えば13.56MHz)、ＵＨＦ帯、マイクロ波帯等の高周波を用いて非接触で信号の送受信を行う上記アンテナ１５１(タグ側アンテナ)と、このアンテナ１５１に接続された上記ＩＣ回路部１５０とを有している。
【００４４】
ＩＣ回路部１５０は、アンテナ１５１により受信された搬送波を整流する整流部１５２と、この整流部１５２により整流された搬送波のエネルギを蓄積しＩＣ回路部１５０の駆動電源とするための電源部１５３と、上記アンテナ１５１により受信された搬送波からクロック信号を抽出して制御部（後述）１５７に供給するクロック抽出部１５４と、所定の情報信号を記憶し得る情報記憶部として機能するメモリ部１５５と、上記アンテナ１５１に接続された変復調部１５６と、上記整流部１５２、クロック抽出部１５４、及び変復調部１５６等を介して上記無線タグ回路素子Ｔoの作動を制御するための制御部１５７とを備えている。
【００４５】
変復調部１５６は、アンテナ１５１により受信されたゲート装置２００のアンテナ２１０からの通信信号の復調を行うと共に、上記制御部１５７からの返信信号に基づき、上記アンテナ２１０より受信された搬送波を変調反射する。
【００４６】
制御部１５７は、上記変復調部１５６により復調された受信信号を解釈し、上記メモリ部１５５において記憶された情報信号に基づいて返信信号を生成し、上記変復調部１５６により返信する制御等の基本的な制御を実行する。
【００４７】
図４は、上記無線タグ回路素子Ｔoのメモリ部１５５に記憶されたデータ内容を概念的に表す図である。
【００４８】
図４に示すように、無線タグ回路素子Ｔoのメモリ部１５５には、当該無線タグ回路素子Ｔoの識別子としてのタグＩＤ（言い換えれば、当該無線タグ回路素子Ｔoを有するＩＣカード１の識別子としてのカードＩＤ。以下、適宜「カードＩＤ」と記載する）と、このカードＩＤに係るグループ（ここでは「グループＡ」。図２参照）に属する人の人数を表す情報が記憶保持されている。本実施形態では、上記カードＩＤは、無線タグ回路素子Ｔoを識別するための識別情報であると共に、当該無線タグ回路素子Ｔoに対し予め関連づけられたグループ（ここでは「グループＡ」）を識別するためのグループ識別情報としての役割を果たすようになっている。
【００４９】
図５は、ゲート装置２００の詳細機能を表す機能ブロック図である。この図５において、ゲート装置２００は、通行者Ｍが所持するＩＣカード１に備えられた無線タグ回路素子Ｔoの上記アンテナ１５１との間で無線通信により信号の授受を行う上記アンテナ２１０と、このアンテナ２１０を介し上記無線タグ回路素子ＴoのＩＣ回路部１５０へアクセスする（この例では読み取りを行う）とともに、無線タグ回路素子Ｔoから読み出された信号を処理する高周波回路２０１と、高周波回路２０１を介し無線タグ回路素子ＴoのＩＣ回路部１５０から読み出された信号を処理して情報を読み出すとともに無線タグ回路素子ＴoのＩＣ回路部１５０へアクセスするためのアクセス情報を生成する機能を含み、ゲート装置２００全体の動作を制御する制御回路（許容処理手段）２０２と、ゲート装置２００に進入する通行者Ｍ及びゲート装置２００を通過した通行者Ｍを検出し、その検出結果を上記制御回路２０２に出力する上記入口センサ２３４及び出口センサ２３５と、制御回路２０２の制御に基づき上記シャッタ２３３の開閉駆動を行うシャッタ駆動装置２３６と、上記出口センサ２３５で検出したゲート装置２００を通過した通行者Ｍの人数をカウントするためのカウンタ２３７とを有する。
【００５０】
図６は、上記高周波回路２０１の詳細機能構成を表す機能ブロック図である。
【００５１】
図６において、高周波回路２０１は、アンテナ２１０を介し無線タグ回路素子Ｔoに対して信号を送信する送信部２１２と、アンテナ２１０により受信された無線タグ回路素子Ｔoからの反射波を入力する受信部２１３と、送受分離器２１４とから構成される。
【００５２】
送信部２１２は、無線タグ回路素子ＴoのＩＣ回路部１５０の無線タグ情報にアクセスする(読み取りを行う)ための搬送波を発生させる水晶振動子２１５Ａ、制御回路２０２の制御により所定の周波数の信号を発生させるＰＬＬ（Phase Locked  Loop）２１５Ｂ、及びＶＣＯ（Voltage  Controlled  Oscillator）２１５Ｃと、上記制御回路２０２から供給される信号に基づいて上記発生させられた搬送波を変調（この例では制御回路２０２からの「ＴＸ＿ＡＳＫ」信号に基づく振幅変調）する送信乗算回路２１６（但し「ＴＸ＿ＡＳＫ信号」の場合は増幅率可変アンプ等を用いてもよい）と、その送信乗算回路２１６により変調された変調波を増幅（この例では制御回路２０２からの「ＴＸ＿ＰＷＲ」信号によって増幅率を決定される増幅）する可変送信アンプ２１７とを備えている。そして、上記搬送波発生部により発生される搬送波は、例えば短波帯(13.56MHz等)、ＵＨＦ帯、マイクロ波帯等の高周波を用いており、上記送信アンプ２１７の出力は、送受分離器２１４を介しアンテナ２１０に伝達されて無線タグ回路素子ＴoのＩＣ回路部１５０に供給される。なお、送受される無線タグ情報は上記のように変調した信号に限られず、単なる搬送波のみの場合もある。
【００５３】
受信部２１３は、アンテナ２１０で受信された無線タグ回路素子Ｔoからの反射波と上記発生させられた搬送波とを掛け合わせる受信第１乗算回路２１８と、その受信第１乗算回路２１８の出力から必要な帯域の信号のみを取り出すための第１バンドパスフィルタ２１９と、この第１バンドパスフィルタ２１９の出力を増幅する受信第１アンプ２２１と、この受信第１アンプ２２１の出力をさらに増幅してデジタル信号に変換する第１リミッタ２２０と、上記アンテナ２１０で受信された無線タグ回路素子Ｔoからの反射波と上記発生された後に移相器２２７により位相が９０°遅れた搬送波とを掛け合わせる受信第２乗算回路２２２と、その受信第２乗算回路２２２の出力から必要な帯域の信号のみを取り出すための第２バンドパスフィルタ２２３と、この第２バンドパスフィルタ２２３の出力を増幅する受信第２アンプ２２５と、この受信第２アンプ２２５の出力をさらに増幅してデジタル信号に変換する第２リミッタ２２４とを備えている。そして、上記第１リミッタ２２０から出力される信号「ＲＸＳ−Ｉ」及び第２リミッタ２２４から出力される信号「ＲＸＳ−Ｑ」は、上記制御回路２０２に入力されて処理される。
【００５４】
また、受信第１アンプ２２１及び受信第２アンプ２２５の出力は、強度検出手段としてのＲＳＳＩ（Received  Signal  Strength  Indicator)回路２２６にも入力され、それらの信号の強度を示す信号「ＲＳＳＩ」が制御回路２０２に入力されるようになっている。このようにして、本実施形態のゲート装置２００では、Ｉ−Ｑ直交復調によって無線タグ回路素子Ｔoからの反射波の復調が行われる。
【００５５】
制御回路２０２は、上記高周波回路送信部２１２への増幅制御信号及び変調制御信号を出力するとともに、上記高周波回路受信部２１３からの受信信号を入力した後無線タグ回路素子Ｔoから読み出された信号を処理するための所定の演算処理を行う。
【００５６】
図７は、この制御回路２０２の詳細機能を表す機能ブロック図である。
【００５７】
図７において、制御回路２０２は、いわゆるマイクロコンピュータであり、中央演算処理装置であるＣＰＵ２０２Ａ、ＲＯＭ２０２Ｂ、ＲＡＭ２０２Ｃ、高周波回路２０１との信号送受を行う回路制御部２０２Ｄ、上記シャッタ駆動装置２３６との信号送受を行うシャッタ制御部２０２Ｅ、上記カウンタ２３７との信号送受を行うカウンタ制御部２０２Ｆ、及び上記入口・出口センサ２３４，２３５から検出信号を入力するためのセンサ入力部２０２Ｇ等から構成され、ＲＡＭ２０２Ｃの一時記憶機能を利用しつつＲＯＭ２０２Ｂに予め記憶されたプログラムに従って信号処理を行うようになっている。
【００５８】
図８は、上記制御回路２０２のＣＰＵ２０２Ａが実行する制御手順を表すフローチャートである。
【００５９】
まずステップＳ１０５において、ゲート装置２００に通行者Ｍが進入したかどうか、すなわち入口センサ２３４によって通行者Ｍが検出され、当該検出信号がセンサ入力部２０２を介して入力されたかどうかを判定する。入口センサ２３４により通行者Ｍが検出されるまで本ステップＳ１０５を繰り返し、検出された場合には次のステップＳ１１０に移る。
【００６０】
ステップＳ１１０では、通行者Ｍが所持するＩＣカード１の無線タグ回路素子ＴoのＩＣ回路部１５０に記憶された上記カードＩＤを読み取るための不特定探索信号（例えば「Scroll
All ID」「Ping」信号等）を生成し、回路制御部２０２Ｄ、高周波回路２０１及びアンテナ２１０を介して通信範囲内に存在する無線タグ回路素子Ｔoに送信して、返信を促す。
【００６１】
次のステップＳ１１５では、上記不特定探索信号に対応し無線タグ回路素子Ｔoから送信（返信）されたリプライ信号をアンテナ２１０、高周波回路２０１及び回路制御部２０２Ｄを介し受信することにより、上記カードＩＤが取得されたかどうかを判定する。カードＩＤを取得していない場合には、判定が満たされずに先のステップＳ１０５に戻る。一方、カードＩＤを取得した場合には、判定が満たされて次のステップＳ１２０へ移る。
【００６２】
ステップＳ１２０では、上記取得したカードＩＤに係る無線タグ回路素子ＴoのＩＣ回路部１５０に記憶された上記人数情報を読み取るための情報要求信号を生成し、回路制御部２０２Ｄ、高周波回路２０１及びアンテナ２１０を介し、上記取得したカードＩＤに係る無線タグ回路素子Ｔoに送信して、返信を促す。
【００６３】
次のステップＳ１２５では、上記情報要求信号に対応し無線タグ回路素子Ｔoから送信（返信）されたリプライ信号をアンテナ２１０、高周波回路２０１及び回路制御部２０２Ｄを介し受信することにより、上記人数情報が取得されたかどうかを判定する。人数情報を取得していない場合には、判定が満たされずに先のステップＳ１０５に戻る。一方、人数情報を取得した場合には、判定が満たされて次のステップＳ１３０へ移る。
【００６４】
ステップＳ１３０では、上記シャッタ制御部２０２Ｅを介してシャッタ駆動装置２３６に制御信号を出力し、シャッタ２３３Ａ，２３３Ｂを駆動させて通路２３１を開通させる。
【００６５】
次のステップＳ１３５では、ゲート装置２００を通過した通行者Ｍの人数をカウントする。すなわち、出口センサ２３５からセンサ入力部２０２Ｇを介して通行者Ｍの検出信号が入力された場合に、その検出信号に応じて制御信号をカウンタ制御部２０２Ｆを介してカウンタ２３７に出力することにより、カウンタ２３７に通行者Ｍの人数をカウントさせる。なお、このカウンタ２３７からはカウント結果がアンサーバックされる。
【００６６】
次のステップＳ１４０では、上記カウンタ２３７のカウント値が、上記ステップＳ１２５で取得した人数に到達したかどうかを判定する。到達していない場合には、判定が満たされずに上記ステップＳ１３５に戻る。一方、到達した場合には、判定が満たされて次のステップＳ１４５に移る。
【００６７】
ステップＳ１４５では、上記シャッタ制御部２０２Ｅを介してシャッタ駆動装置２３６に制御信号を出力し、シャッタ２３３Ａ，２３３Ｂを駆動させて通路２３１を遮断させる。
【００６８】
次のステップＳ１５０では、制御信号をカウンタ制御部２０２Ｆを介してカウンタ２３７に出力し、カウント値をリセットする。そして、先のステップＳ１０５に戻る。
【００６９】
なお、上記においては、入口センサ２３４により通行者Ｍが検出された後に、通行者ＭのＩＣカード１の無線タグ回路素子Ｔoに対し不特定探索信号を送信するようにしたが、これに限られず、通行者Ｍが検出されたかどうかに係わらず常時不特定探索信号を送信しておくようにしてもよい。
【００７０】
上記において、無線タグ回路素子ＴoのＩＣ回路部１５０に記憶されたカードＩＤは、特許請求の範囲各項記載の無線タグ回路素子に対し予め関連づけられた集合体に係わる集合体識別情報に相当し、人数情報は、集合体を構成する複数の集合要素の通過を許容する集合要素許容情報に相当する。また、制御回路２０２のＣＰＵ２０２Ａが行う制御手順ステップＳ１２５は、請求項６記載の集合要素許容情報を取得する許容情報取得手段に相当する。
【００７１】
以上のように構成した本実施形態においては、１つのＩＣカード１に備えられた無線タグ回路素子ＴoのＩＣ回路部１５０に、集合体（本実施形態ではグループＡ）に係わる集合体識別情報（本実施形態ではカードＩＤ）と、集合要素許容情報（本実施形態では人数情報）とが記憶保持されている。これにより、グループＡの通過時においては、この１つのＩＣカード１の無線タグ回路素子ＴoをカードＩＤ（タグＩＤ）で特定してアクセスを行い、ＩＣ回路部１５０の人数情報を取得することで、当該グループＡの複数の通行者Ｍについて通過を許可することができる。この結果、１つのＩＣカード１に備えられた無線タグ回路素子Ｔoに係る無線通信結果に基づき複数の通行者Ｍの通過処理を行うことができる。すなわち、例えばグループＡの引率者が最初にゲート装置２００を通過することにより、この引率者が所持するＩＣカード１の無線タグ回路素子Ｔoに記憶された人数が通過するまでゲート装置２００のシャッター２３３Ａ，２３３Ｂを開放させておくことができる。この結果、例えばグループの引率者が最初に通過させたい人数を設定入力する必要がある場合に比べ、その設定入力の手間が不要となり、ゲート通過時の処理を簡易化・迅速化することができる。また、ゲートの通行管理を効率よく行うことができる。
【００７２】
また、本実施形態では特に、ゲート装置２００に設けたシャッター２３３Ａ，２３３Ｂにより、通路２３１の開通・遮断を行う。これにより、通過を許可してよい通行者Ｍであるか不許可にすべき通行者Ｍであるかに応じて、通路２３１の開通・遮断を制御し、通行者Ｍの通過認容・通過阻止を確実に切り替えることができる。
【００７３】
なお、本発明は、上記実施形態に限られず、その趣旨と技術思想の範囲を逸脱しない範囲で更に種々の変形が可能である。以下その変形例を説明する。
【００７４】
（１）汎用ＩＤを用いて通過管理を行う場合
上記実施形態では、１つのＩＣカードの無線タグ回路素子Ｔoから人数情報を取得し、当該人数が通過する間ゲートを開放するようにしたが、これに限られない。すなわち、１つのＩＣカードの無線タグ回路素子Ｔoに通過させたい複数の人に対し共通に付与された汎用ＩＤを記憶させておき、通行者Ｍが所持するＩＣカードのカードＩＤが当該汎用ＩＤと一致する場合にその通行者Ｍを通過させるようにしてもよい。
【００７５】
図９は、上記無線タグ回路素子Ｔoのメモリ部１５５に記憶されたデータ内容を概念的に表す図である。
【００７６】
図９に示すように、無線タグ回路素子Ｔoのメモリ部１５５には、当該無線タグ回路素子Ｔoの識別子としてのカードＩＤと、このカードＩＤに係るグループ（ここでは「グループＢ」とする）に属する複数の人に対し共通に付与された汎用ＩＤが記憶保持されている。
【００７７】
図１０は、本変形例のゲート装置（要求可否判定装置）２００′の詳細機能を表す機能ブロック図である。この図１０において、ゲート装置２００′の構成において前述の実施形態におけるゲート装置２００と異なる部分は、ゲートを通過した人数をカウントするカウンタを有していない点と、制御回路２０２の代わりに汎用ＩＤの照合機能（詳細は後述）を有する制御回路２０２′を有している点である。その他の構成については、前述のゲート装置２００と同様であるので説明を省略する。
【００７８】
図１１は、上記制御回路２０２′のＣＰＵ２０２′Ａ（図示せず）が実行する制御手順を表すフローチャートである。
【００７９】
まずステップＳ２０５では、通過させたいグループＢに属する複数の人に対し共通に付与された汎用ＩＤが取得されているかどうかを示すＦＬＡＧを、取得されていないことを示す０に初期化する。
【００８０】
次のステップＳ２１０では、ゲート装置２００′に通行者Ｍが進入したかどうかを判定する。入口センサ２３４により通行者Ｍが検出されるまで本ステップＳ２１０を繰り返し、検出された場合には次のステップＳ２１５に移る。
【００８１】
ステップＳ２１５では、汎用ＩＤが取得されているかどうかを示す上記ＦＬＡＧが０であるかどうかを判定する。汎用ＩＤが取得されていない場合には、ＦＬＡＧ＝０であるので判定が満たされて次のステップＳ２２０に移る。
【００８２】
ステップＳ２２０では、通行者Ｍが所持するＩＣカード１の無線タグ回路素子ＴoのＩＣ回路部１５０に記憶された上記カードＩＤを読み取るための不特定探索信号（例えば「Scroll
All ID」「Ping」信号等）を生成し、回路制御部２０２′Ｄ（図示せず）、高周波回路２０１及びアンテナ２１０を介して通信範囲内に存在する無線タグ回路素子Ｔoに送信して、返信を促す。
【００８３】
次のステップＳ２２５では、上記不特定探索信号に対応し無線タグ回路素子Ｔoから送信（返信）されたリプライ信号をアンテナ２１０、高周波回路２０１及び回路制御部２０２′Ｄを介し受信することにより、上記カードＩＤが取得されたかどうかを判定する。カードＩＤを取得していない場合には、判定が満たされずに先のステップＳ２１０に戻る。一方、カードＩＤを取得した場合には、判定が満たされて次のステップＳ２３０へ移る。
【００８４】
ステップＳ２３０では、上記取得したカードＩＤに係る無線タグ回路素子ＴoのＩＣ回路部１５０に記憶された上記汎用ＩＤを読み取るための情報要求信号を生成し、回路制御部２０２′Ｄ、高周波回路２０１及びアンテナ２１０を介し、上記取得したカードＩＤに係る無線タグ回路素子Ｔoに送信して、返信を促す。
【００８５】
次のステップＳ２３５では、上記情報要求信号に対応し無線タグ回路素子Ｔoから送信（返信）されたリプライ信号をアンテナ２１０、高周波回路２０１及び回路制御部２０２′Ｄを介し受信することにより、上記汎用ＩＤが取得されたかどうかを判定する。汎用ＩＤを取得していない場合には、判定が満たされずに先のステップＳ２１０に戻る。一方、汎用ＩＤを取得した場合には、判定が満たされて次のステップＳ２４０へ移る。
【００８６】
ステップＳ２４０では、上記ＦＬＡＧを汎用ＩＤが取得されたことを示す１に変更する。
【００８７】
次のステップＳ２４５では、上記ステップＳ２３５で取得した汎用ＩＤを適宜のメモリ（例えば制御回路２０２′が有する図示しないＲＡＭ等）に記憶させる。
【００８８】
次のステップＳ２５０では、シャッタ制御部２０２′Ｅ（図示せず）を介してシャッタ駆動装置２３６に制御信号を出力し、シャッタ２３３Ａ，２３３Ｂを駆動させて通路２３１を開通させる。
【００８９】
次のステップＳ２５５では、上記ＩＣカード１を所持する通行者Ｍがゲート装置２００′を通過したかどうかを判定する。この判定は、出口センサ２３５からセンサ入力部２０２′Ｇ（図示せず）を介して通行者Ｍの検出信号が入力されたかどうかを検出することにより行われる。通行者Ｍがゲートを通過するまで本ステップＳを繰り返し、通過した場合には判定が満たされて次のステップＳ２６０に移る。
【００９０】
ステップＳ２６０では、上記シャッタ制御部２０２′Ｅを介してシャッタ駆動装置２３６に制御信号を出力し、シャッタ２３３Ａ，２３３Ｂを駆動させて通路２３１を遮断させる。
【００９１】
次のステップＳ２６５では、上記取得した汎用ＩＤを用いてゲート通過管理を行う期間が経過したかどうかを判定する。この期間は、例えば上記ステップＳ２３５において汎用ＩＤが取得された期日いっぱい、若しくは汎用ＩＤが取得された時間から数時間等の適宜の長さの期間に設定され、予めゲート装置２００′の適宜のメモリ（例えば制御回路２０２′のＲＡＭ等）に記憶されている。なお、この期間情報をＩＣカード１中の無線タグ回路素子Ｔoに記憶させておくようにしてもよい。期間経過前であれば、判定が満たされずに先のステップＳ２１０に戻る。一方、期間経過後であれば、判定が満たされて先のステップＳ２０５に戻る。
【００９２】
なお、上記のようにして一度汎用ＩＤが取得された後であって、上記タイムアウト期間の経過前の場合においては、上記ＦＬＡＧ＝１となっているため、上記ステップＳ２１５において判定が満たされずに、ステップＳ２７０に移る。
【００９３】
ステップＳ２７０〜ステップＳ２８５では、上記ステップＳ２２０〜ステップＳ２３５と同様にして、カードＩＤを読み取るための不特定探索信号を生成して通信範囲内に存在する無線タグ回路素子Ｔoに送信し、カードＩＤが取得された場合には、このカードＩＤに係る無線タグ回路素子Ｔoに記憶された汎用ＩＤを読み取るための情報要求信号を生成して無線タグ回路素子Ｔoに送信する。これにより、汎用ＩＤが取得された場合には、判定が満たされて次のステップＳ２９０へ移る。
【００９４】
ステップＳ２９０では、上記ステップＳ２８５で取得した汎用ＩＤと、先のステップＳ２４５で記憶させた汎用ＩＤとを照合する。これらの汎用ＩＤが一致する場合には、判定が満たされてステップＳ２５０に移る。一方、汎用ＩＤが一致しない場合には、判定が満たされずに先のステップＳ２１０に戻る。以上により、本フローを終了する。
【００９５】
以上のフローにより、例えばグループＢの引率者が最初にゲート装置２００′を通過すると、この引率者が所持するＩＣカード１の無線タグ回路素子Ｔoに記憶された汎用ＩＤがゲート装置２００′に読み込まれ、その後は当該汎用ＩＤと一致するＩＤが記憶された無線タグ回路素子Ｔoを有するＩＣカード１を所持する通行者Ｍの場合のみゲートが開き、それ以外の通行者Ｍにはゲートは開かないように制御される。そして、予め設定された期間が経過した場合には、ＦＬＡＧが０にリセットされて上記汎用ＩＤによる通過管理を終了する。
【００９６】
上記において、汎用ＩＤは、特許請求の範囲各項記載の集合体を構成する複数の集合要素の通過を許容する集合要素許容情報に相当し、かつ請求項３記載の通過を許容された集合体要素を特定するための集合要素特定情報に相当すると共に、請求項４記載の無線タグ回路素子に対し共通に付与された共通タグ識別情報に相当する。また、制御回路２０２′のＣＰＵ２０２′Ａが行う制御手順ステップＳ２３５は、請求項６記載の集合要素許容情報を取得する許容情報取得手段に相当する。
【００９７】
以上のように構成した本変形例によれば、１つのＩＣカード１に備えられた無線タグ回路素子Ｔoから読み出した汎用ＩＤを用いることで、グループＢを構成する複数の通行者Ｍを特定する形で通過管理を行うことができる。この結果、前述の実施形態と同様に、例えばグループの引率者が最初に通過させたい人数を設定入力する必要がある場合に比べ、その設定入力の手間が不要となり、ゲート通過時の処理を簡易化・迅速化することができる。また、ゲートの通行管理を効率よく行うことができる。さらに、グループＢを構成する複数の通行者Ｍを特定する形で通過管理を行うことができる結果、複数の通行者Ｍのそれぞれに対応して同一の情報（汎用ＩＤ情報）を無線タグ回路素子Ｔoに書き込んだＩＣカード１を作成すれば足り（すなわち単なる複製で足りる）、個別の情報を各無線タグ回路素子Ｔoに対し書き込む必要がないので、ＩＣカード１の作成の手間を軽減することができる。
【００９８】
なお、上記変形例においては、予め設定された期間を経過した場合にそれ以前に取得した汎用ＩＤによる通過管理を終了するようにしたが、これに限られず、例えば図１２に示すように、前述の実施形態と同様にグループに属する通行者Ｍの人数を無線タグ回路素子Ｔoに記憶させておき、汎用ＩＤの照合により通過を許可した人数が上記設定人数に達した場合に、汎用ＩＤによる通過管理を終了するようにしてもよい。
【００９９】
（２）通行者ごとの個別ＩＤを用いて通過管理を行う場合
上記実施形態では、１つのＩＣカードの無線タグ回路素子Ｔoから人数情報を取得し、当該人数が通過する間ゲートを開放するようにしたが、これに限られない。すなわち、１つのＩＣカードの無線タグ回路素子Ｔoに通過させたい複数の人に対し個別に付与された個別ＩＤをそれぞれ記憶させておき、通行者Ｍが有する個別ＩＤと上記記憶させた個別ＩＤとを照合することにより、個別ＩＤが一致する場合にその通行者Ｍを通過させるようにしてもよい。
【０１００】
図１３は、上記無線タグ回路素子Ｔoのメモリ部１５５に記憶されたデータ内容を概念的に表す図である。
【０１０１】
図１３に示すように、無線タグ回路素子Ｔoのメモリ部１５５には、当該無線タグ回路素子Ｔoの識別子としてのカードＩＤと、このカードＩＤに係るグループ（ここでは「グループＣ」とする）に属する複数の人に対し個別に付与された個別ＩＤが記憶保持されている。本実施形態では、この個別ＩＤとして、各人が所有する例えば免許証、定期券、住基ネットカード等（ここではＩＣカードとする）に備えられる無線タグ回路素子Ｔoに記憶された免許証番号、定期券番号、住基ネット番号等が用いられ、これらの番号情報はそれぞれの番号の種類を示す識別情報（例えば各番号情報の桁数やフォーマットなどの情報）とともに個別ＩＤ一覧情報としてメモリ部１５５に記憶されている。
【０１０２】
なお、個別ＩＤに用いる情報は上記に限られるものではなく、例えば保険証番号やクレジットカードの番号等、各人を特定可能な情報であればさらに他の情報を用いてもよい。また、各人に対し新たに個別ＩＤを付与し、これら個別ＩＤを記憶させた無線タグ回路素子Ｔoを備えた個別ＩＤカードを発行して、各人が所持するようにしてもよい。
【０１０３】
図１４は、本変形例のゲート装置（要求可否判定装置）２００″の詳細機能を表す機能ブロック図である。この図１４において、ゲート装置２００″の構成において前述の変形例におけるゲート装置２００′と異なる部分は、制御回路２０２′の代わりに個別ＩＤの照合機能（詳細は後述）を有する制御回路２０２″を有している点である。その他の構成については、前述のゲート装置２００′と同様であるので説明を省略する。
【０１０４】
図１５は、本変形例の上記制御回路２０２″のＣＰＵ２０２″Ａ（図示せず）が実行する制御手順を表すフローチャートである。
【０１０５】
図１５において、ステップＳ３０５〜ステップＳ３３０は、前述の図１１に示すステップ２０５〜ステップＳ２３０と同様である。すなわち、まず通過させたいグループＣに属する複数の人に対し個別に付与された個別ＩＤの一覧情報（図１３参照）が取得されているかどうかを示すＦＬＡＧを、取得されていないことを示す０に初期化した上で、ゲート装置２００″に通行者Ｍが進入したかどうかを判定し、通行者Ｍが進入した場合には上記ＦＬＡＧが０であるかどうかを判定し、個別ＩＤ一覧が取得されていない場合には、通行者Ｍが所持するＩＣカード（前述した免許証、定期券、住基ネットカード等）の無線タグ回路素子ＴoのＩＣ回路部１５０に記憶されたカードＩＤを読み取るための不特定探索信号（例えば「Scroll
All ID」「Ping」信号等）を生成し、通信範囲内に存在する無線タグ回路素子Ｔoに送信して、返信を促す。そして、上記カードＩＤが取得されたかどうかを判定し、カードＩＤを取得した場合には当該カードＩＤに係る無線タグ回路素子ＴoのＩＣ回路部１５０に記憶された個別ＩＤ一覧情報を読み取るための情報要求信号を生成し、無線タグ回路素子Ｔoに送信して返信を促す。
【０１０６】
次のステップＳ３３５では、上記情報要求信号に対応し無線タグ回路素子Ｔoから送信（返信）されたリプライ信号を受信することにより、個別ＩＤ一覧情報が取得されたかどうかを判定する。個別ＩＤ一覧を取得していない場合には、判定が満たされずに先のステップＳ３１０に戻る。一方、個別ＩＤ一覧を取得した場合には、判定が満たされて次のステップＳ３４０へ移る。
【０１０７】
次のステップＳ３４０〜ステップＳ３６０は、前述の図１１に示すステップ２４０〜ステップＳ２６０と同様である。すなわち、上記ＦＬＡＧを個別ＩＤ一覧が取得されたことを示す１に変更するとともに、取得した個別ＩＤ一覧を適宜のメモリ（例えば制御回路２０２″が有する図示しないＲＡＭ等）に記憶させる。そして、シャッタ２３３Ａ，２３３Ｂを駆動させて通路２３１を開通させ、上記ＩＣカード１を所持する通行者Ｍがゲート装置２００″を通過した場合には、シャッタ２３３Ａ，２３３Ｂを駆動させて通路２３１を遮断させる。
【０１０８】
次のステップＳ３６５では、グループＣに属する複数の通行者Ｍが全員ゲート装置２００″を通過したかどうかを判定する。この判定は、上記取得した個別ＩＤ一覧情報中の個別ＩＤがメモリ上に残存してるかどうかを判定することにより行われる。全員が通過していなければ、判定が満たされずに先のステップＳ３１０に戻る。一方、全員が通過していれば、判定が満たされて先のステップＳ３０５に戻る。
【０１０９】
なお、上記のようにして一度個別ＩＤ一覧情報が取得された後であって、グループ全員がゲートを通過する前の場合には、上記ＦＬＡＧ＝１となっているため、先のステップＳ３１５において判定が満たされずに、ステップＳ３７０に移る。
【０１１０】
ステップＳ３７０〜ステップＳ３８５では、上記ステップＳ３２０〜ステップＳ３３５と同様にして、カードＩＤを読み取るための不特定探索信号を生成して通信範囲内に存在する無線タグ回路素子Ｔoに送信し、カードＩＤが取得された場合には、このカードＩＤに係る無線タグ回路素子Ｔoに記憶された個別ＩＤ（免許証番号、定期券番号、住基ネット番号等）を読み取るための情報要求信号を生成して無線タグ回路素子Ｔoに送信する。これにより、個別ＩＤが取得された場合には、判定が満たされて次のステップＳ３９０へ移る。
【０１１１】
ステップＳ３９０では、上記ステップＳ３８５で取得した個別ＩＤが、先のステップＳ３４５で記憶させた個別ＩＤ一覧に含まれるかどうかを照合する。個別ＩＤ一覧に含まれる場合には、判定が満たされてステップＳ３９５に移り、当該個別ＩＤを個別ＩＤ一覧から削除した上で、ステップＳ３５０に移る。一方、個別ＩＤ一覧に含まれていない場合には、判定が満たされずに先のステップＳ３１０に戻る。以上により、本フローを終了する。
【０１１２】
以上のフローにより、例えばグループＣの引率者が最初にゲート装置２００″を通過すると、この引率者が所持するＩＣカードの無線タグ回路素子Ｔoに記憶された個別ＩＤ一覧情報がゲート装置２００″に読み込まれ、その後は当該個別ＩＤ一覧に含まれる個別ＩＤが記憶された無線タグ回路素子Ｔoを有するＩＣカードを所持する通行者Ｍの場合のみゲートが開き、それ以外の通行者Ｍにはゲートは開かないように制御される。そして、グループＣに属する全員がゲートを通過した場合には、ＦＬＡＧが０にリセットされて上記個別ＩＤによる通過管理を終了する。
【０１１３】
上記において、個別ＩＤは、特許請求の範囲各項記載の集合体を構成する複数の集合要素の通過を許容する集合要素許容情報に相当し、かつ請求項３記載の通過を許容された集合体要素を特定するための集合要素特定情報に相当すると共に、請求項５記載の無線タグ回路素子にそれぞれ個別に付与された個別タグ識別情報に相当する。また、制御回路２０２″のＣＰＵ２０２″Ａが行う制御手順ステップＳ３３５は、請求項６記載の集合要素許容情報を取得する許容情報取得手段に相当する。
【０１１４】
以上のように構成した本変形例によれば、１つのＩＣカードに備えられた無線タグ回路素子Ｔoから読み出した個別ＩＤ一覧情報を用いることで、グループＣを構成する複数の通行者Ｍを特定する形で通過管理を行うことができる。この結果、前述の実施形態と同様に、例えばグループの引率者が最初に通過させたい人数を設定入力する必要がある場合に比べ、その設定入力の手間が不要となり、ゲート通過時の処理を簡易化・迅速化することができる。また、ゲートの通行管理を効率よく行うことができる。さらに、グループＣを構成する複数の通行者Ｍを個別に通過管理できる結果、前述した変形例のように複数の通行者Ｍそれぞれに同一の情報（汎用ＩＤ）を付与し複数の通行者全体として管理する場合に比べ、各人ごとに個別にきめ細かい管理を行うことができる。
【０１１５】
（３）表示装置を設ける場合
上記実施形態においては特に設置しなかったが、ゲート装置に通過可否の判定結果を表す表示装置を設けるようにしてもよい。
【０１１６】
図１６は本変形例のゲート装置の全体構造を表す斜視図である。この図１６において、ゲート装置２００′′′は、通過可否の判定結果を表示可能な表示装置（表示手段）２３８を備えている。これにより、通行可否の判定結果の通行者Ｍに対する明示性を向上できるとともに、通過を許可してよい通行者であるか不許可にすべき通行者であるかを表示して、管理者に報知することができる。
【０１１７】
なお、上記では通路２３１の開通・遮断を行うシャッター２３３Ａ，２３３Ｂとともに表示装置２３８を設ける例を示したが、これに限られない。すなわち、例えばシャッター２３３Ａ，２３３Ｂを設けずに表示装置２３８のみを設置し、当該表示により通行可否の判定結果の通行者Ｍに報知するようにしてもよい。また、上記では表示装置２３８で通過可否の判定結果のみ示すようにしたが、これに限られず、例えばグループ名やその人数、各人の名前等のその他の情報を表示するようにしてもよい。また、表示装置２３８の代わりに、または表示装置２３８と共に、判定結果等を音声で報知する音声出力装置を設けるようにしてもよい。
【０１１８】
（４）通過の可否と共に通過する通路を選択する場合
以上では、ゲート装置により通行者Ｍの通過の可否のみ行う例を示したが、これに限られず、通過の可否と共に通過する通路を選択可能な構成としてもよい。
【０１１９】
図１７は、本変形例のゲート装置２００′′′′の全体の概略構造を表す概略構成図である。この図１７において、ゲート装置２００′′′′は、通行者Ｍの通路Ａ側（例えばＶＩＰ席側）への通行を許容・禁止する第１シャッタ２３３Ｃと、通行者Ｍの通路Ｂ側（例えば一般席側）への通行を許容・禁止する第２シャッタ２３３Ｄとを有する。その他の構成は、前述のゲート装置２００と同様である（なお、図１７では入口・出口センサの図示省略）。
【０１２０】
図１８は、本変形例の制御回路２０２′′′′のＣＰＵ２０２′′′′Ａ（図示せず）が実行する制御手順を表すフローチャートであり、前述の図８に対応する図である。この図１８において、図８と同様の手順には同符号を付し説明を省略する。
【０１２１】
この図１８において、ステップＳ１０５〜ステップＳ１２０は前述の図８と同様であり、ゲート装置２００に通行者Ｍが進入したら不特定探索信号を送信して通行者Ｍが所持するＩＣカード１の無線タグ回路素子ＴoのカードＩＤを取得し、次に情報要求信号を送信して上記取得したカードＩＤに係る無線タグ回路素子ＴoのＩＣ回路部１５０に記憶された人数情報を取得する。
【０１２２】
次のステップＳ１２７では、上記取得したカードＩＤが通路Ａ対応のカードＩＤであるかどうかを判定する。本変形例では、予め通行者Ｍに通路情報としての属性を持たせたカードＩＤが記憶された無線タグ回路素子Ｔoを備えたＩＣカード１が渡されており、上記判定はそのカードＩＤの属性から判定されるようになっている。なお、例えばこの通路情報を上記人数情報と共に無線タグ回路素子ＴoのＩＣ回路部１５０に記憶させるようにしてもよい。通路Ａ対応である場合には、判定が満たされて次のステップＳ１３０に移る。
【０１２３】
ステップＳ１３０〜ステップＳ１５０は前述の図８と同様である。すなわち、第１シャッタ２３３Ｃを駆動させて通路Ａ側を開通させ、ゲート装置２００を通過した通行者Ｍの人数が上記ステップＳ１２５で取得した人数に到達したら、第１シャッタ２３３Ｃを駆動させて通路Ａ側を遮断させる。そして、ゲート通過者のカウント値をリセットし、先のステップＳ１０５に戻る。
【０１２４】
一方、上記ステップＳ１２７において、カードＩＤが通路Ｂ対応である場合には、判定が満たされずにステップＳ１６０に移る。このステップＳ１６０〜ステップＳ１８０は上記ステップＳ１３０〜ステップＳ１５０と同様であり、第２シャッタ２３３Ｄを駆動させて通路Ｂ側を開通させ、ゲート装置２００を通過した通行者Ｍの人数が上記ステップＳ１２５で取得した人数に到達したら、第２シャッタ２３３Ｄを駆動させて通路Ｂ側を遮断させる。そして、ゲート通過者のカウント値をリセットし、先のステップＳ１０５に戻る。
【０１２５】
以上説明した変形例によれば、通行者Ｍの通過の可否と共に通過経路の選択をも行うことができ、ゲート通過時の処理をさらに簡易化・迅速化することができる。
【０１２６】
（５）その他
以上は、本発明をゲート装置に適用し、グループを構成する複数の人の「通過したい」という要求が許容されるか否かを判定する場合を例にとって説明したが、本発明の適用対象はこれに限られない。すなわち、上記要求として、例えば、閲覧したい、入手・購入したい、装置などオンにしたい、動作させたい、視聴したい、特別サービスを受けたい等、上記通過したいという要求以外にも種々の要求の可否判定を行う場合に適用可能である。例えば、上記閲覧したいという要求の可否を判定する場合の例としては、端末で複数名が各々順番（又は別々）に所定の情報にアクセスして当該情報を閲覧するのを許容したりする場合等が挙げられる。
【０１２７】
また以上は、本発明を例えば遊園地の入口ゲートや観覧車等の遊戯物の搭乗ゲート等に適用した場合を例にとって説明したが、これに限られず、例えば電車や船、航空機等の乗り物の乗り場の搭乗ゲートに適用してもよい。この場合、無線タグ回路素子Ｔoに各人の座席位置情報等を合わせて記憶させるようにしてもよい。また、以上では本発明を通行者の通過を許容・禁止するゲート装置を例にとって説明したが、これに限られず、例えば通行者の経路を切り替える経路切替装置に適用してもよい。さらに、人が通行するゲートに限られず、例えば工場の製造ラインにおいて製品を運搬するコンベアの経路切替を行う経路切替装置等、物品の通過の可否または経路を決定する物品振り分けシステム等に適用してもよい。
【０１２８】
なお、以上においては、通行者Ｍが所持するＩＣカードの無線タグ回路素子Ｔoとゲート装置側のアンテナ２１０との間の情報送受信を、短波帯(例えば13.56MHz)、ＵＨＦ帯、マイクロ波帯等の高周波を用いて行うようにしたが、これに限られず、例えばゲート装置側のアンテナ２１０や無線タグ回路素子Ｔo側のアンテナ１５１としてループアンテナを用い、磁気誘導（電磁誘導、磁気結合、その他電磁界を介して行われる非接触方式を含む）により情報送受信を行うようにしてもよい。
【０１２９】
また、以上で用いた「Scroll All ID」信号、「Ping」信号等は、ＥＰＣ  ｇｌｏｂａｌが策定した仕様に準拠しているものとする。ＥＰＣ  ｇｌｏｂａｌは、流通コードの国際機関である国際ＥＡＮ協会と、米国の流通コード機関であるＵｎｉｆｏｒｍｅｄ  Ｃｏｄｅ  Ｃｏｕｎｃｉｌ（ＵＣＣ）が共同で設立した非営利法人である。なお、他の規格に準拠した信号でも、同様の機能を果たすものであればよい。
【０１３０】
また、以上既に述べた以外にも、上記実施形態や各変形例による手法を適宜組み合わせて利用しても良い。
【０１３１】
その他、一々例示はしないが、本発明は、その趣旨を逸脱しない範囲内において、種々の変更が加えられて実施されるものである。
【図面の簡単な説明】
【０１３２】
【図１】本発明の要求可否判定装置の一実施形態であるゲート装置の全体構造を表す斜視図である。
【図２】通行者が有するＩＣカードの全体概略構造の一例を表す上面図及び下面図である。
【図３】ＩＣカードに備えられた無線タグ回路素子の機能的構成の一例を表すブロック図である。
【図４】無線タグ回路素子のメモリ部に記憶されたデータ内容を概念的に表す図である。
【図５】ゲート装置の詳細機能を表す機能ブロック図である。
【図６】高周波回路の詳細機能構成を表す機能ブロック図である。
【図７】制御回路の詳細機能を表す機能ブロック図である。
【図８】制御回路のＣＰＵが実行する制御手順を表すフローチャートである。
【図９】汎用ＩＤを用いて通過管理を行う場合の変形例における、無線タグ回路素子のメモリ部に記憶されたデータ内容を概念的に表す図である。
【図１０】汎用ＩＤを用いて通過管理を行う場合の変形例における、ゲート装置の詳細機能を表す機能ブロック図である。
【図１１】汎用ＩＤを用いて通過管理を行う場合の変形例における、制御回路のＣＰＵが実行する制御手順を表すフローチャートである。
【図１２】汎用ＩＤを用いて通過管理を行う場合の変形例において、人数情報を加えた場合の無線タグ回路素子のメモリ部に記憶されたデータ内容を概念的に表す図である。
【図１３】通行者ごとの個別ＩＤを用いて通過管理を行う場合の変形例における、無線タグ回路素子のメモリ部に記憶されたデータ内容を概念的に表す図である。
【図１４】通行者ごとの個別ＩＤを用いて通過管理を行う場合の変形例における、ゲート装置の詳細機能を表す機能ブロック図である。
【図１５】通行者ごとの個別ＩＤを用いて通過管理を行う場合の変形例における、制御回路のＣＰＵが実行する制御手順を表すフローチャートである。
【図１６】表示装置を設ける場合の変形例における、ゲート装置の全体構造を表す斜視図である。
【図１７】通過の可否と共に通過する通路を選択する場合の変形例におけるゲート装置の全体の概略構造を表す概略構成図である。
【図１８】通過の可否と共に通過する通路を選択する場合の変形例における制御回路のＣＰＵが実行する制御手順を表すフローチャートである。
【符号の説明】
【０１３３】
１            ＩＣカード（無線タグ）
１５０        ＩＣ回路部
１５１        アンテナ（タグ側アンテナ）
２００        ゲート装置（要求可否判定装置）
２００′      ゲート装置（要求可否判定装置）
２００″      ゲート装置（要求可否判定装置）
２００'''     ゲート装置（要求可否判定装置）
２００''''    ゲート装置（要求可否判定装置）
２０２        制御回路（許容処理手段）
２０２′      制御回路（許容処理手段）
２０２″      制御回路（許容処理手段）
２１０        アンテナ（無線通信手段）
２３３        シャッタ（経路制御手段）
２３８        表示装置（表示手段）
Ａ，Ｂ，Ｃ    グループ（集合体）
Ｍ            通行者（集合要素）
Ｔo           無線タグ回路素子
【図１】
2007323221.tif 000003
【図２】
2007323221.tif 000004
【図３】
2007323221.tif 000005
【図４】
2007323221.tif 000006
【図５】
2007323221.tif 000007
【図６】
2007323221.tif 000008
【図７】
2007323221.tif 000009
【図８】
2007323221.tif 000010
【図９】
2007323221.tif 000011
【図１０】
2007323221.tif 000012
【図１１】
2007323221.tif 000013
【図１２】
2007323221.tif 000014
【図１３】
2007323221.tif 000015
【図１４】
2007323221.tif 000016
【図１５】
2007323221.tif 000017
【図１６】
2007323221.tif 000018
【図１７】
2007323221.tif 000019
【図１８】
2007323221.tif 000020